(57)【要約】【課題】用途別に通信することが可能となる情報通信媒体を提供する。【解決手段】モジュールが埋め込まれたカード本体により構成される情報通信媒体であって、前記モジュールは、外部機器と通信する通信手段と、前記通信手段を介して受信した信号の通信方式を判断する判断手段と、前記判断手段の判断結果に基づく前記通信方式を複数の通信方式から選択する選択手段と、前記選択手段で選択された通信方式に応じて通信を実行する実行手段とを備える。【選択図】      図１
2008059271.tif 000002
【特許請求の範囲】
【請求項１】
モジュールが埋め込まれたカード本体により構成される情報通信媒体であって、
前記モジュールは、
外部機器と通信する通信手段と、
前記通信手段を介して受信した信号の通信方式を判断する判断手段と、
前記判断手段の判断結果に基づく前記通信方式を複数の通信方式から選択する選択手段と、
前記選択手段で選択された通信方式に応じて通信を実行する実行手段と、
を備えたことを特徴とする情報通信媒体。
【請求項２】
前記複数の通信方式は、発行時の特定用途用の特定通信方式と発行完了後の通常用の通常通信方式とを有することを特徴とする請求項１記載の情報通信媒体。
【請求項３】
前記通信方式は、変調方式及び符号化方式の組み合わせであることを特徴とする請求項２記載の情報通信媒体。
【請求項４】
発行完了後において、前記判断手段による前記通常通信方式以外の通信方式でアクセスしているとの判断に基づいて、通信履歴を記憶する記憶手段とを有することを特徴とする請求項３記載の情報通信媒体。
【請求項５】
前記記憶手段は、前記通常通信方式でのアクセス中のエラーを通信エラー履歴として記憶し、前記特定用途用の前記特定通信方式により前記通信エラー履歴が読み出されることを特徴とする請求項４記載の情報通信媒体。
【請求項６】
外部機器と通信し、
受信した信号の通信方式を判断し、
判断結果に基づく前記通信方式を複数の通信方式から選択し、
選択された通信方式に応じて通信を実行する
ことを特徴とする情報通信媒体認識方法。
【請求項７】
前記複数の通信方式は、発行時の特定用途用の特定通信方式と発行完了後の通常用の通常通信方式とを有することを特徴とする請求項６記載の情報通信媒体認識方法。
【請求項８】
前記通信方式は、変調方式及び符号化方式の組み合わせであることを特徴とする請求項７記載の情報通信認識方法。
【請求項９】
発行完了後において、前記通常通信方式以外の通信方式でアクセスされているとの判断に基づいて、通信履歴を記憶することを特徴とする請求項８記載の情報通信媒体認識方法。
【請求項１０】
前記通常通信方式でのアクセス中のエラーを通信エラー履歴として記憶し、前記特定用途用の前記特定通信方式で前記通信エラー履歴を読み出されることを特徴とする請求項９記載の情報通信媒体認識方法。
【発明の詳細な説明】
【技術分野】
【０００１】
この発明は、例えば、無線通信機能を有し、リーダライタと電磁波によって通信する情報通信媒体に関する。
【背景技術】
【０００２】
従来、携帯可能電子媒体としての非接触式ＩＣカードは、その使用目的や使用用途に応じて必要な鍵ファイルやデータファイル等を非接触式ＩＣカード内部の不揮発性メモリ上に定義している。更に、それらのファイルにデータを書き込むことによって使用可能な状態になる。この手順は一般に非接触式ＩＣカードの発行処理と呼ばれている。
【０００３】
上記非接触式ＩＣカードは、ＣＰＵ、ＲＯＭ、ＲＡＭ、不揮発性メモリなどを有する集積回路としての非接触式ＩＣチップが内蔵されている。その製造段階においてＲＯＭ等には外部からのコマンドを処理するための各コマンドに応じた制御プログラムが予め記録されている。このような非接触式ＩＣカードでは、上記のような発行処理において発行装置からのデータ書込み要求などの発行命令に応じた発行処理を実行する機能が予め用意されている。
【０００４】
非接触式ＩＣカードでは、原則的に、１つのコマンドで１つの処理を実行し、その処理結果等を示す応答を返すようになっている。例えば、非接触式ＩＣカードの発行処理においては、１つのコマンドで不揮発性メモリ上に１つのファイルを定義したり、１単位のデータを書き込んだりし、その処理結果等を応答として返すようになっている。このため、従来の非接触式ＩＣカードの発行処理は、発行装置が発行処理に必要なファイルやデータの数だけ発行命令を各非接触式ＩＣカードに送信し、非接触式ＩＣカードが各発行命令を逐次実行し、その実行結果などを示す応答を発行装置に返すことによってなされる。
【０００５】
特に、非接触式ＩＣカードは、一般的に、金融情報や個人情報など重要な情報を扱うことが多いため、非接触式ＩＣカード内に記録されるデータの信頼性やセキュリティ性が重視される。このような要求に応じてデータの信頼性やセキュリティ性を高くするため、非接触式ＩＣカードでは、与えられた命令の処理が完全に完結してから次の命令を受けて処理する逐次方式の処理を採用している。さらに、近年では、様々な分野で非接触式ＩＣカードが使われるようになってきている。このため、非接触式ＩＣカードが多機能化して１つのカードで様々な機能を有するようになっている。このような多機能化した非接触式ＩＣカードには、その発行手続きにおいて不揮発性メモリに多くのファイルを定義したり、大量のデータを書き込んだりする必要がある。
【０００６】
特許文献１には、携帯可能電子媒体に用いられる集積回路、及び、携帯可能電子媒体の発行方法では、発行処理用のアンテナを実装し、発行時間を短縮可能な構成が開示されている。発行処理用に、通常時よりも高い周波数で通信するための新規アンテナが追加されており、発行時はそのアンテナに対応した通信を行うことで、発行時間が短縮できる。
【特許文献１】特開２００５−２７５４５６号公報
【発明の開示】
【発明が解決しようとする課題】
【０００７】
特許文献１では、非接触式ＩＣカードの周波数のみを変更しており、詳細の通信方式を変更していないため、特定用途に使用するために通信方式を割り当てるなどの工夫が少なくなる問題がある。
【０００８】
さらに、非接触式ＩＣカードのキャリア周波数は、インピーダンスアナライザ等を用いれば、ある程度予測がつくため、偽造者に渡った場合、容易に解析される点も問題となる。また、発行処理用と通常用の二つのアンテナが必要となり、コストアップすることも問題である。
【０００９】
この発明の課題の１つは、用途別に通信することが可能となる非接触式ＩＣカードを提供することである。
【課題を解決するための手段】
【００１０】
この発明の一実施の形態に係る情報通信媒体は、モジュールが埋め込まれたカード本体により構成される情報通信媒体であって、前記モジュールは、外部機器と通信する通信手段と、前記通信手段を介して受信した信号の通信方式を判断する判断手段と、前記判断手段の判断結果に基づく前記通信方式を複数の通信方式から選択する選択手段とを備える。
【発明の効果】
【００１１】
エラー履歴などを残すことが可能な情報触通信媒体の場合、発行業者などが、特定用途用通信方式を用いて、その内容を調べることができる。また、特定用途用通信方式を知らない人の悪用を防止できる。特定用途用通信方式でのみ書き込み可能にすれば、通常用通信方式で記憶媒体に記載された内容を変更することができず、セキュリティが向上する。そのため、未発行情報通信媒体が輸送時に盗難にあった場合でも、偽造者が既知の通常通信方式を知っていても、発行することができなくなる。
【発明を実施するための最良の形態】
【００１２】
以下、図面を参照して、この発明の種々な実施の形態に係る非接触式ＩＣカード（情報通信媒体）の構成を説明する。図１は、本発明の一実施形態に係る非接触式ＩＣカードの概略構成を示す図である。非接触式ＩＣカード（情報通信媒体）１０は、アンテナ１０１、送信部１０２、送信系１０７、受信部１０８、受信系１１３、電源部１１４、ＣＰＵ（Ｃｅｎｔｒａｌ  Ｐｒｏｃｅｓｓｉｎｇ  Ｕｎｉｔ）１１５、ＲＯＭ（Ｒｅａｄ  Ｏｎｌｙ  Ｍｅｍｏｒｙ）１１６、ＲＡＭ（Ｒａｎｄｏｍ  Ａｃｃｅｓｓ  Ｍｅｍｏｒｙ）１１７、ＥＥＰＲＯＭ（Ｅｌｅｃｔｒｉｃａｌｌｙ  Ｅｒａｓａｂｌｅ  ａｎｄ  Ｐｒｏｇｒａｍｍａｂｌｅ  ＲＯＭ）１１８を有している。
【００１３】
アンテナ１０１は、カードリーダ／ライタを有する通信端末からの信号を受信したり、通信端末に対して信号を送信したりする。つまり、アンテナ１０１は、通信端末との間でデータを送受信するためのＩ／Ｆとして機能する。
【００１４】
受信部１０８は、アンプ等で構成され、アンテナ１０１で受信した信号を受信系１１３で処理しやすい信号に変換する回路である。また、ＣＰＵ１１５の判別部１１５１は、受信した信号の通信方式を受信部１０８で検出する。受信系１１３は、復調部ａ１０９、復号化部ａ１１０、復調部ｂ１１１、復号化部ｂ１１２を有している。復調部ａ１０９または復調部ｂ１１１は、信号の所定のキャリア波を任意に復調する。復号化部ａ１１０または復号化部ｂ１１２は、復調された信号を復号化し、２値化する。
【００１５】
受信系１１３は、ＣＰＵ１１５により切り替え可能であり、復調部と復号化部は以下のような組み合わせが可能である。（復調部、復号化部）が、（復調部ａ１０９、復号化部ａ１１０）、（復調部ａ１０９、復号化部ｂ１１２）、（復調部ｂ１１１、復号化部ａ１１０）、（復調部ｂ１１１、復号化部ｂ１１２）である。
【００１６】
電源部１１４は、アンテナ１０１で受信した信号からの整流出力を安定化して動作電力を生成し、この動作電力をＣＰＵ１１５やその他の回路部へ供給する。
【００１７】
ＣＰＵ１１５は、判断部１１５１、選択部１１５２、実行部１１５３、カウンタ１１５４を有している。判断部１１５１は、アンテナ１０１で受信した信号の通信方式（復調方式及び復号化方式）を判断する。選択部１１５２は、受信した信号の通信方式に合わせて、受信系１１３を切り替え制御する。実行部１１５３は、切り替えられた受信系１１３で信号を復調及び符号化し、信号に含まれるコマンドを解釈し、実行する。カウンタ１１５４は、アクセスを許されている通信方式以外の通信方式によるアクセス回数をカウントする。
【００１８】
ＲＯＭ１１６は、ＣＰＵ１１５で実行される制御プログラム等を記憶する。また、ＲＯＭ１１６には、初期通信条件（通信プロトコル、通信パラメータ（例えば通信レート）など）を含む複数の通信条件（複数の通信プロトコル、複数の通信パラメータ（例えば複数の通信レート））が記憶される。ＲＡＭ１１７は、ＣＰＵ１１５で実行する処理結果等を一時的に格納する。また、ＲＡＭ１１７には、ＲＯＭ１１６に記憶された複数の通信条件の中から選択された通信条件が記憶される。ＥＥＰＲＯＭ１１８は、不揮発性メモリであり、受信した信号に含まれるコマンドに応じた処理が書き込まれ、ＣＰＵ１１５によって読み出し、書き込みがなされる。
【００１９】
送信系１０７は、変調部ａ１０３、符号化部ａ１０４、変調部ｂ１０５、符号化部ｂ１０６を有している。符号化部ａ１０４または符号化部ｂ１０６は、２値化されている信号を符号化する。そして変調部ａ１０３または変調部ｂ１０５は、符号化された信号を変調する。送信部１０２は、アンプ等で構成され、送信系１０７で変換された信号をアンテナ１０１を介して通信端末に送信するために、増幅している。送信系１０７は、ＣＰＵ１１５により切り替え可能であり、変調部と符号化部は以下のような組み合わせが可能である。（変調部、符号化部）が、（変調部ａ１０３、符号化部ａ１０４）、（変調部ａ１０３、符号化部ｂ１０６）、（変調部ｂ１０５、符号化部ａ１０６）、（変調部ｂ１０５、符号化部ｂ１０６）である。
【００２０】
ＣＰＵ１１５の選択部１１５２は、切り替えた受信系１１３に対応して、送信系１０７を切り替えられる。この場合、ＣＰＵ１１５の選択部１１５２は、復調部ａ１０９の選択に対応して変調部ａ１０３、復号化部ａ１１０の選択に対応して符号化部ａ１０４、復調部ｂ１１１の選択に対応して変調部ｂ１０５、復号化部ｂ１１２の選択に対応して符号化部ｂ１０６に切り替える。復調部ａ１０９（対応する変調部ａ１０３）では復調方式ａ（変調方式ａ）が、復号化部ａ１１０（対応する符号化部ａ１０４）では復号化方式ａ（符号化方式ａ）が用いられている。復調部ｂ１１１（対応する変調部ｂ１０５）では復調方式ｂ（変調方式ｂ）が、復号化部ｂ１１２（対応する符号化部ｂ１０６）では復号化方式ｂ（符号化方式ｂ）が用いられている。
【００２１】
図１に示す本実施例では、通信方式として、復調部ａ１０９（対応する変調部ａ１０３）、復号化部ａ１１０（対応する符号化部ａ１０４）、復調部ｂ１１１（対応する変調部ｂ１０５）、復号化部ｂ１１２（対応する符号化部ｂ１０６）の切り替えについて説明したが、この他に、フレームフォーマットの切り替えの追加もしくは組み合わせをすることができる。フレームフォーマットとは、ＩＳＯ／ＩＥＣ１４４４３−３において、ＳＯＦ（Ｓｔａｒｔ  ｏｆ  Ｆｒａｍｅ）、ＥＯＦ（Ｅｎｄ  ｏｆ  Ｆｒａｍｅ）などである。フレームの検出コードの長さを変更したりすることで、通信方式の種類を増やすことが可能である。また、変調方式としては、ＡＳＫ（振幅変調、Ａｍｐｌｉｔｕｄｅ  Ｓｈｉｆｔ  Ｋｅｙｉｎｇ）、ＰＳＫ（位相変調、Ｐｈａｓｅ  Ｓｈｉｆｔ  Ｋｅｙｉｎｇ）、ＦＳＫ（周波数変調、Ｆｒｅｑｕｅｎｃｙ  Ｓｈｉｆｔ  Ｋｅｙｉｎｇ）などがある。符号化方式としては、ＮＲＺ（Ｎｏｎ  Ｒｅｔｕｒｅｎ  ｔｏ  Ｚｅｒｏ）、ＮＲＺ−Ｌ（Ｎｏｎ  Ｒｅｔｕｒｅｎ  ｔｏ  Ｚｅｒｏ−Ｌｅｖｅｌ）、モディファイドミラー方式、マンチェスター方式などがある。これらを組み合わせることで、様々な通信方法を実現することができる。上記した以外にも、３以上の変調方式、３以上の符号化方式を組み合わせることが可能である。
【００２２】
図２には、非接触式ＩＣカード１０における通信方式の切り替えを示すフローチャートを示す。判断部１１５１は、アンテナ１０１で受信した通信端末から送信された信号の変調方式が変調方式ａか変調方式ｂかを判断する（ステップＳ１００）。次に、判断部１１５１は、受信した信号の符号化方式が符号化方式ａか符号化方式ｂかを判断する（ステップＳ１０１）。つまり、判断部１１５１は、受信した信号の（変調方式、符号化方式）の組み合わせが、（変調方式ａ、符号化方式ａ）、（変調方式ａ、符号化方式ｂ）、（変調方式ｂ、符号化方式ａ）、（変調方式ｂ、符号化方式ｂ）のいずれに該当か否かを判断する。判断部１１５１が、受信した信号が変調方式ａ、符号化方式ａであると判断すると、通常用途と判断する（ステップＳ１０２）。判断部１１５１が、受信した信号が変調方式ａ、符号化方式ｂであると判断すると、特定用途ａと判断する（ステップＳ１０３）。判断部１１５１が、受信した信号が変調方式ｂ、符号化方式ａであると判断すると、特定用途ｂと判断する（ステップＳ１０４）。判断部１１５１が、受信した信号が変調方式ｂ、符号化方式ｂであると判断すると、特定用途ｃと判断する（ステップＳ１０５）。
【００２３】
判断部１１５１が、受信した信号が通常用（ステップＳ１０２）と判断すると、選択部１１５２は、受信系１１３を復調部ａ１０９、復号化部ａ１１０、送信系１０７を変調部ａ１０３、符号化部ａ１０４に切り替える。そして、実行部１１５３は、例えば、ＩＳＯ／ＩＥＣ１４４４３に準拠した一般的なコマンド・レスポンスで通信する。このような規格に沿った通信手順を踏むことで、機能を実行することができるため、互換性が必要な場合など都合が良い。
【００２４】
判断部１１５１が、受信した信号が特定用途ａ（ステップＳ１０３）と判断すると、選択部１１５２は、受信系１１３を復調部ａ１０９、復号化部ｂ１１１、送信系１０７を変調部ａ１０３、符号化部ｂ１０５に切り替える。特定用途ａ（ステップＳ１０３）の通信方式の利用としては、例えば、非接触式ＩＣカード１０の発行である。非接触式ＩＣカード１０の発行において、発行の場合高速化が望まれる。そのため、一回に送信できるコマンド・レスポンス長を規定せず、一度に送受信を行うことで、発行完了できるなどの工夫することが可能となる。認証手順を踏む場合は、多少コマンド・レスポンスを追加しても可能である。
【００２５】
ここで、通常用の通信方式（変調方式ａ、符号化方式ａ）で通信端末と通信中に、コマンドの処理等のエラーが発生した場合、実行部１１５３は、エラー内容等を示すエラーログをＥＥＰＲＯＭ１１８に履歴として記録することができる。図３は、ＥＥＰＲＯＭ１１８内のエラーログのメモリマップを示す。ＥＥＰＲＯＭ１１８は、通常用の通信方式で書き込み、または読み出しがなされるメモリ領域と通常用の通信方式で通信中に発生したエラーの履歴を記憶するエラーログ領域とを有している。
【００２６】
通常用の通信方式では、ＣＰＵ１１５は、ＥＥＰＲＯＭ１１８の通常使用領域に対して書き込み、または読み出しをするためにアクセスできるが、ＥＥＰＲＯＭ１１８のエラーログ領域に対しては、アクセスできない。ここで、例えば特定用途ｂの通信方式（変調方式ｂ、符号化方式ａ）で通信端末からアクセスされると、ＥＥＰＲＯＭ１１８のエラーログ領域に対してアクセス可能となるように予めＲＯＭ１１６等に設定しておくことができる。そして、ＣＰＵ１１５の実行部１１５３は、通信端末に対してＥＥＰＲＯＭ１１８のエラーログ領域に記憶されているエラー履歴を送信する。特定用途ｃの通信方式（変調方式ｂ、符号化方式ｂ）に対しても、さらに別の特定用途のみに使用できるように設定することができる。
【００２７】
また、非接触式ＩＣカード１０の発行に特定用途ａの通信方式が用いられ、非接触式ＩＣカード１０の発行が完了した後、ＣＰＯ１１５は、通常用の通信方式でしか通信できないようにＲＯＭ１１６に設定を記憶させることが可能である。このように設定することで、不正アクセス防止が可能となる。図５は、通常用の通信方式以外の通信方式でアクセスされた場合のアクセス回数制限を示す不正アクセス防止用が可能となるフローチャートである。通常用の場合の通信方式は、変調方式をａ、符号化方式ａとし、例えば、通常用の場合の通信方式以外の通信方式で通信端末から不正アクセス回数が３回以上されたとする。この場合、ＣＰＵ１１５の実行部１１５３は、アンテナ１０１を電気的に切断し、非接触式ＩＣカード１０を使用不可能となるように制御する。非接触式ＩＣカード１０の発行が完了した後、ＣＰＵ１１５の実行部１１５３は、カウンタ１１５４の通常用以外の通信方式での不正アクセス回数ｎを０と設定する(ステップＳ２００)。次に、非接触式ＩＣカード１０が通信端末の通信領域に入り、非接触式ＩＣカード１０は、通信端末から信号を受信する。ＣＰＵ１１５の判別部１１５１は、非接触式ＩＣカード１０が受信した信号の変調方式が変調方式ａか否かを判別する（ステップＳ２０１）。
【００２８】
受信した信号の変調方式が変調方式ａの場合（ステップＳ２０１、ＹＥＳ）、ＣＰＵ１１５の判別部１１５１は、非接触式ＩＣカード１０が受信した信号の符号化方式が符号化方式ａか否かを判別する（ステップＳ２０２）。受信した信号の符号化方式が符号化方式ａの場合（ステップＳ２０２、ＹＥＳ）、判別部１１５１は、通常用の通信方式と判断する。そして、選択部１１５２は、送信系１０７と受信系１１３を通常用の通信方式に適合するように切り替える。そして、実行部１１５３は、通常用の通信方式で通信を実行する。
【００２９】
また、受信した信号の符号化方式が符号化方式ａでない場合（ステップＳ２０２、ＮＯ）、判別部１１５１は、通常用の通信方式以外の通信方式でアクセスされたと判断する。そして、実行部１１５３は、カウンタ１１５４を不正アクセス回数ｎ＋１により、不正アクセス回数を１増やしてカウントする（ステップＳ２０４）。そして、実行部１１５３は、不正アクセス回数ｎが３以上か否か判断する（ステップＳ２０６）。不正アクセス回数が３以上であれば（ステップＳ２０６、ＹＥＳ）、実行部１１５３は、アンテナ１０１を電気的に切断し、非接触式ＩＣカード１０を使用不可能となるように制御する。そのため、判別部１１５１は、通信端末から受信した信号の通信方式を判別しなくなる。不正アクセス回数が３以上でなければ（ステップＳ２０６、ＮＯ）、判別部１１５１は、非接触式ＩＣカード１０が受信した信号の変調方式が変調方式ａか否かを再度判別する（ステップＳ２０１）。
【００３０】
受信した信号の変調方式が変調方式ａの場合（ステップＳ２０１、ＹＥＳ）、実行部１１５３は、カウンタ１１５４の不正アクセス回数ｎ＋１により、不正アクセス回数を１増やしてカウントする（ステップＳ２０４）。そして、ステップＳ２０６に進み、実行部１１５３は、不正アクセス回数ｎが３以上か否か判断する（ステップＳ２０６）。
【００３１】
上記のように、盗難によってランダムな通常以外の通信方式でアクセスされても、不正アクセスに対して制限を加えることで、盗難者が何度も異なった通信方式でアクセスを試みる機会を制限することができるため、セキュリティ性が高まる。
【００３２】
次に、非接触式ＩＣカード１０の発行処理に、特定用途ａ、特定用途ｂ、特定用途ｃの３つの通信方式を用いる例について説明する。例えば、非接触式ＩＣカード１０の発行において、発行処理が特定用途ａ、特定用途ｂ、特定用途ｃの通信方式の順序で処理すると設定した情報をＲＯＭ１１６に記憶させておく。ここで、発行処理における特定用途ｂの段階の通信方式（変調方式ａ、符号化方式ｂ）以外の通信方式で発行処理をしようとした場合、ＣＰＵ１１５の実行部１１５３は、アンテナ１０１を電気的に切断し、非接触式ＩＣカード１０を使用不可能となるように制御する。
【００３３】
例えば、発行処理前のカードが盗難にあったときに、発行処理と発行処理後の使用に用いられる通信方式が同一の場合、または、発行処理と発行処理後の使用に用いられる通信方式は異なるが、発行処理に用いられる通信方式が単一の場合では、容易に発行処理に用いられる通信方式が見破られる可能性が高い。上記した例により、異なった複数の通信方式を規定された順序で発行処理に用いることで、発行処理前に盗難された非接触式ＩＣカード１０が偽造されることなく、セキュリティ性が高まる。
【００３４】
上記のように、非接触式ＩＣカード１０のＣＰＵ１１５が、特定用用途別に複数の通信方式（変調方式、符号化方式、フレームフォーマット等、もしくはこれらの組み合わせ）を切り替えることで、様々な運用が可能となり、セキュリティ性や保守性を高めることができる。
【００３５】
図５は、本発明の別の実施形態に係る接触式ＩＣカードの概略構成を示す図である。接触式ＩＣカード２０も非接触式ＩＣカード１０と同様に、複数の通信方式を設定することができる。接触式ＩＣカード２０は、Ｉ／Ｏ  ＩＦ（Ｉｎｐｕｔ／Ｏｕｔｐｕｔ  Ｉｎｔｅｒｆａｃｅ）２０１、送信部２０２、送信系２０７、受信部２０８、受信系２１３、電源部２１４、ＣＰＵ２１６、ＲＡＭ２１７、ＥＥＰＲＯＭ２１８を有している。
【００３６】
Ｉ／Ｏ  ＩＦ２０１は、カードリーダ／ライタを有する外部機器からの信号を受信したり、通信端末に対して信号を送信したりする。つまり、Ｉ／Ｏ  ＩＦ２０１は、通信端末との間でデータを送受信するためのＩ／Ｆとして機能する。
【００３７】
受信部２０８は、アンプ等で構成され、Ｉ／Ｏ  ＩＦ２０１で受信した信号を受信系２１３で処理しやすい信号に変換する回路である。また、ＣＰＵ２１５の判別部２１５１は、受信した信号の通信方式を受信部２０８で検出する。受信系２１３は、フレームフォーマット読取部ａ２０９、復号化部ａ２１０、フレームフォーマット読取部ｂ２１１、復号化部ｂ２１２を有している。フレームフォーマット読取部ａ２０９またはフレームフォーマット読取部ｂ１１１は、信号のフレームフォーマットからデータを読み取る。復号化部ａ２１０または復号化部ｂ２１２は、データを復号化する。受信系２１３は、ＣＰＵ２１５により切り替え可能であり、フレームフォーマット読取部と復号化部は以下のような組み合わせが可能である。（フレームフォーマット読取部、復号化部）が、（フレームフォーマット読取部ａ２０９、復号化部ａ２１０）、（フレームフォーマット読取部ａ２０９、復号化部ｂ２１２）、（フレームフォーマット読取部ｂ２１１、復号化部ａ２１０）、（フレームフォーマット読取部ｂ２１１、復号化部ｂ２１２）である。
【００３８】
電源部２１４は、Ｉ／Ｏ  ＩＦ２０１で受信した信号からの整流出力を安定化して動作電力を生成し、この動作電力をＣＰＵ２１５やその他の回路部へ供給する。
【００３９】
ＣＰＵ２１５は、判断部２１５１、選択部２１５２、実行部２１５３、カウンタ２１５４を有している。判断部２１５１は、Ｉ／Ｏ  ＩＦ２０１で受信した信号の通信方式（フレームフォーマット及び復号化方式）を判断する。選択部２１５２は、受信した信号の通信方式に合わせて、受信系２１３を切り替え制御する。実行部２１５３は、切り替えられた受信系２１３で信号に対してフレームフォーマット読み取り及び符号化し、信号に含まれるコマンドを解釈し、実行する。カウンタ２１５４は、アクセスを許されている通信方式以外の通信方式によるアクセス回数をカウントする。
【００４０】
ＲＯＭ２１６は、ＣＰＵ２１５で実行される制御プログラム等を記憶する。また、ＲＯＭ２１６には、初期通信条件（通信プロトコル、通信パラメータ（例えば通信レート）など）を含む複数の通信条件（複数の通信プロトコル、複数の通信パラメータ（例えば複数の通信レート））が記憶される。ＲＡＭ２１７は、ＣＰＵ２１５で実行する処理結果等を一時的に格納する。また、ＲＡＭ２１７には、ＲＯＭ２１６に記憶された複数の通信条件の中から選択された通信条件が記憶される。ＥＥＰＲＯＭ２１８は、受信した信号に含まれるコマンドに応じた処理が書き込まれ、また、ＣＰＵ２１５の実行部２１５３によってかきこみ、読み出しがなされる。
【００４１】
送信系２０７は、フレームフォーマット格納部ａ２０３、符号化部ａ２０４、フレームフォーマット格納部ｂ２０５、符号化部ｂ２０６を有している。符号化部ａ２０４または符号化部ｂ２０６は、２値化されている信号を符号化する。そしてフレームフォーマット格納部ａ１０３またはフレームフォーマット格納部ｂ１０５は、符号化された信号をフレームフォーマットに格納する。送信部２０２は、アンプ等で構成され、送信系２０７で変換された信号をＩ／Ｏ  ＩＦ２０１を介して通信端末に送信するために、増幅している。送信系２０７は、ＣＰＵ２１５により切り替え可能であり、フレームフォーマット格納部と符号化部は以下のような組み合わせが可能である。（フレームフォーマット格納部、符号化部）が、（フレームフォーマット格納部ａ２０３、符号化部ａ２０４）、（フレームフォーマット格納部ａ２０３、符号化部ｂ２０６）、（フレームフォーマット格納部ｂ２０５、符号化部ａ２０６）、（フレームフォーマット格納部ｂ２０５、符号化部ｂ２０６）である。
【００４２】
ＣＰＵ２１５の選択部２１５２は、切り替えた受信系２１３に対応して、送信系２０７を切り替えられる。この場合、ＣＰＵ２１５の選択部２１５２は、フレームフォーマット
読取部ａ１０９の選択に対応してフレームフォーマット格納部ａ２０３、復号化部ａ２１０の選択に対応して符号化部ａ２０４、フレームフォーマット読取部ｂ２１１の選択に対応してフレームフォーマット格納部ｂ２０５、復号化部ｂ２１２の選択に対応して符号化部ｂ２０６に切り替える。
【００４３】
フレームフォーマット読取部ａ２０９（対応するフレームフォーマット格納部ａ２０３）ではフレームフォーマット読取方式ａ（フレームフォーマット格納方式ａ）が、復号化部ａ２１０（対応する符号化部ａ２０４）では復号化方式ａ（符号化方式ａ）が用いられている。フレームフォーマット読取部ｂ２１１（対応するフレームフォーマット格納部ｂ２０５）ではフレームフォーマット読取方式ｂ（フレームフォーマット格納方式ｂ）が、復号化部ｂ１１２（対応する符号化部ｂ１０６）では復号化方式ｂ（符号化方式ｂ）が用いられている。
【００４４】
図６には、接触式ＩＣカード１０における通信方式の切り替えを示すフローチャートを示す。判断部２１５１は、Ｉ／Ｏ  ＩＦ２０１で受信した外部機器から送信された信号のフレームフォーマットがフレームフォーマットａかフレームフォーマットｂかを判断する（ステップＳ３００）。次に、判断部２１５１は、受信した信号の符号化方式が符号化方式ａか符号化方式ｂかを判断する（ステップＳ３０１）。つまり、判断部２１５１は、受信した信号の（フレームフォーマット、符号化方式）の組み合わせが、（フレームフォーマットａ、符号化方式ａ）、（フレームフォーマットａ、符号化方式ｂ）、（フレームフォーマットｂ、符号化方式ａ）、（フレームフォーマットｂ、符号化方式ｂ）のいずれに該当か否かを判断する。判断部２１５１が、受信した信号がフレームフォーマットａ、符号化方式ａであると判断すると、通常用途と判断する（ステップＳ３０２）。判断部２１５１が、受信した信号がフレームフォーマットａ、符号化方式ｂであると判断すると、特定用途ａと判断する（ステップＳ３０３）。判断部２１５１が、受信した信号がフレームフォーマットｂ、符号化方式ａであると判断すると、特定用途ｂと判断する（ステップＳ３０４）。判断部２１５１が、受信した信号がフレームフォーマットｂ、符号化方式ｂであると判断すると、特定用途ｃと判断する（ステップＳ３０５）。
【００４５】
判断部２１５１が、受信した信号が通常用（ステップＳ３０２）と判断すると、選択部２１５２は、受信系２１３をフレームフォーマット読取部ａ２０９、復号化部ａ２１０、送信系２０７をフレームフォーマット格納部ａ２０３、符号化部ａ２０４に切り替える。
【００４６】
判断部２１５１が、受信した信号が特定用途ａ（ステップＳ３０３）と判断すると、選択部２１５２は、受信系２１３をフレームフォーマット読取部ａ２０９、復号化部ｂ２１１、送信系２０７をフレームフォーマット格納部ａ２０３、符号化部ｂ２０５に切り替える。特定用途ａ（ステップＳ３０３）の通信方式の利用としては、例えば、接触式ＩＣカード２０の発行である。
【００４７】
なお、この発明は前述した実施の形態に限定されるものではなく、現在または将来の実施段階では、その時点で利用可能な技術に基づき、その要旨を逸脱しない範囲で種々に変形することが可能である。また、各実施形態は可能な限り適宜組み合わせて実施してもよく、その場合組み合わせた効果が得られる。さらに、上記実施形態には種々の段階の発明が含まれており、開示される複数の構成要件における適当な組み合わせにより種々の発明が抽出され得る。例えば、実施形態に示される全構成要件からいくつかの構成要件が削除されても、この構成要件が削除された構成が発明として抽出され得る。
【図面の簡単な説明】
【００４８】
【図１】本発明の一実施形態に係る非接触式ＩＣカードの概略構成を示す図。
【図２】本発明の一実施形態に係る非接触式ＩＣカードの通信方式の切り替えを示すフローチャート。
【図３】本発明の一実施形態に係る非接触式ＩＣカードの通信方式判定を示すフローチャート。
【図４】本発明の一実施形態に係る非接触式ＩＣカードの記憶部のメモリマップを示す図。
【図５】本発明の一実施形態に係る接触式ＩＣカードの概略構成を示す図。
【図６】本発明の一実施形態に係る接触式ＩＣカードの通信方式の切り替えを示すフローチャート。
【符号の説明】
【００４９】
１０…非接触式ＩＣカード、１０１…アンテナ、１０２…送信部、１０３…変調部ａ、１０４…符号化部ａ、１０５…変調部ｂ、１０６…符号化部ｂ、１０７…送信系、１０８…受信部、１０９…復調部ａ、１１０…復号化部ａ、１１１…復調部ｂ、１１２…復号化部ｂ、１１３…受信系、１１４…電源部、１１５…ＣＰＵ、１１６…ＲＯＭ、１１７…ＲＡＭ、１１８…ＥＥＰＲＯＭ、１１５１…判別部、１１５２…選択部、１１５３…実行部、１１５４…カウンタ。
【図１】
2008059271.tif 000003
【図２】
2008059271.tif 000004
【図３】
2008059271.tif 000005
【図４】
2008059271.tif 000006
【図５】
2008059271.tif 000007
【図６】
2008059271.tif 000008